(57)【特許請求の範囲】
【請求項１】
入賞部と、該入賞部より遊技球を受け入れ可能な開状態と受け入れ不能な閉状態とに変換可能な可動部材と、前記入賞部より受け入れられた遊技球が流入する遊技空間部と、該遊技空間部に配設された一般入賞口及び特定入賞口とを有する遊技装置を備え、所定条件の成立により前記可動部材を開状態に変換させる補助遊技を実行し、該補助遊技において前記入賞部より前記遊技空間部に受け入れられた遊技球が前記特定入賞口に入賞した場合に、遊技者にとって有利な特別遊技状態を発生可能な遊技機において、
前記遊技装置には、
前記入賞部と前記特定入賞口との間に位置し、前記入賞部より前記遊技空間部に受入れられた遊技球を保持可能な複数の誘導用球保持部を有するとともに、該誘導用球保持部に保持された遊技球を前記特定入賞口よりも上方に位置する流下案内位置まで回転移動させてから流下案内する案内回転体と、
前記案内回転体と前記特定入賞口との間であって前記流下案内位置よりも下方に位置し、該流下案内位置において前記案内回転体の誘導用球保持部から流下した遊技球を、前記特定入賞口へ誘導可能な第１状態と誘導不可能な第２状態とに繰り返し変換される変換誘導部材と、を設け、
前記複数の誘導用球保持部毎に当該誘導用球保持部の形状を異ならせることにより、前記案内回転体により流下案内された遊技球が、前記変換誘導部材に到達するタイミングを前記誘導用球保持部毎に異ならせたことを特徴とする遊技機。
【請求項２】
前記誘導用球保持部は、前記流下案内位置で前記変換誘導部材に向けて下り傾斜状態になる傾斜部を有し、該傾斜部によって保持された遊技球を前記流下案内位置で流下案内する構成であり、
前記傾斜部の傾斜角度を前記誘導用球保持部毎に異ならせることにより、前記タイミングを異ならせたことを特徴とする請求項１に記載の遊技機。
【請求項３】
前記誘導用球保持部は、前記流下案内位置で前記変換誘導部材に向けて下り傾斜状態になる傾斜部を有し、該傾斜部によって保持された遊技球を前記流下案内位置で流下案内する構成であり、
前記流下案内位置における前記傾斜部の上下方向の位置を前記誘導用球保持部毎に異ならせることにより、前記タイミングを異ならせたことを特徴とする請求項１又は請求項２に記載の遊技機。
【請求項４】
前記変換誘導部材は、当該変換誘導部材が前記第１状態のときに前記案内回転体から流下案内された遊技球を保持可能な特定球保持部を備え、
前記特定球保持部に保持された遊技球は、当該変換誘導部材が前記第２状態に変換された場合に、前記特定入賞口へ遊技球を誘導する構成であることを特徴とする請求項１から３の何れかに記載の遊技機。
【請求項５】
前記案内回転体には、前記誘導用球保持部に加えて、前記入賞部より前記遊技空間部に受入れられた遊技球を保持可能な一般球保持部が形成され、
前記案内回転体は、前記一般球保持部に保持された遊技球を前記一般入賞口へ向けて流下案内することを特徴とする請求項１から４の何れかに記載の遊技機。
【発明の詳細な説明】
【技術分野】
【０００１】
本発明は、パチンコ機などの遊技機に関する。
【背景技術】
【０００２】
従来の遊技機、例えばパチンコ遊技機としては、遊技領域が形成される遊技盤に、可動部材によって開閉される入賞部と、該入賞部より受け入れられた遊技球が流入する遊技空間部（例えば、前記可動部材を設けた取付基板に形成した前面が開口する凹室）とを有する遊技装置を配設し、所定条件(始動入賞口へ遊技球が入賞することや変動表示ゲームが所定の表示結果になること)の成立により、前記可動部材を閉状態から開状態に変換させて遊技球を遊技空間部内に受け入れるようにしたものがある。そして、前記遊技空間部内には、複数の一般振分口及び特別振分口を設けた第１回転体と、複数個の一般振分口及び特別振分部(特定領域部)を設けた第２回転体を配設した遊技機が知られている(例えば特許文献１)。
この種の遊技機は、所定条件の成立により可動部材が開状態に変換されて遊技空間部内に受入れられた遊技球が第１回転体のうち一般振分口に入球すると、該遊技球を一般入賞口(一般入賞領域)に誘導する一方で、第１回転体のうち特別振分口に入球すると、該遊技球を第２回転体に向けて誘導し、該誘導された遊技球が第２回転体のうち一般入賞部に入球すると、該遊技球を一般入賞口に誘導する一方で、第２回転体のうち特別振分部に遊技球が入球すると、該遊技球を特定入賞口（特別入賞口）へ誘導するように構成されており、特定入賞口への遊技球の入賞（特定入賞）により遊技者に有利な特別遊技状態(大当り状態)を発生させるようにしている。
【０００３】
【特許文献１】特開平７−２８４５５８号公報
【発明の開示】
【発明が解決しようとする課題】
【０００４】
しかしながら、従来の遊技機においては、特別遊技状態発生への第１ステップとなる第１回転体の特別振分口が１つしかないため、次のステップである第２回転体まで遊技球が到達する頻度が少なく、特別遊技状態の発生に対する遊技者の期待感を十分に盛り上げることができなかった。また、第１回転体の特別振分口が第２回転体に向けて遊技球を誘導するタイミングと、第２回転体のうち特別振分部が遊技球を受入れ可能な状態になるタイミング(特別遊技状態を発生させるタイミング)が所定の周期毎に発生するため、その周期を狙って単発打ち等をすることにより特別遊技状態を頻発させるといった不正が行われていた。そのような不正が行われると、遊技店が不測の不利益を被るという問題点が発生していたし、不正を行う者と通常の遊技者との間で公平性が保たれなくなってしまっていた。なお、従来は一定速度で回転駆動される第１回転体や第２回転体の回転速度を仮に変化させれば、理論的には上記タイミングが一定周期毎に発生することを回避できるが、その場合には回転体の制御が複雑化して実用的ではない。
そこで本発明は、上記した問題点に鑑みてなされたものであり、前述したように回転体によって特定入賞と一般入賞の振分けを行う遊技装置を備えた遊技機において、特別遊技状態発生への期待感を十分に向上させる一方で、回転体が一定速度で回転駆動されても、特別遊技状態を発生させるタイミングを狙われ難くすることができ、どの遊技者にも公平な遊技機を提供することを目的とする。
【課題を解決するための手段】
【０００５】
本願請求項１に記載の遊技機は、入賞部と、該入賞部より遊技球を受け入れ可能な開状態と受け入れ不能な閉状態とに変換可能な可動部材と、前記入賞部より受け入れられた遊技球が流入する遊技空間部と、該遊技空間部に配設された一般入賞口及び特定入賞口とを有する遊技装置を備え、所定条件の成立により前記可動部材を開状態に変換させる補助遊技を実行し、該補助遊技において前記入賞部より前記遊技空間部に受け入れられた遊技球が前記特定入賞口に入賞した場合に、遊技者にとって有利な特別遊技状態を発生可能な遊技機において、
前記遊技装置には、
前記入賞部と前記特定入賞口との間に位置し、前記入賞部より前記遊技空間部に受入れられた遊技球を保持可能な複数の誘導用球保持部を有するとともに、該誘導用球保持部に保持された遊技球を前記特定入賞口よりも上方に位置する流下案内位置まで回転移動させてから流下案内する案内回転体と、
前記案内回転体と前記特定入賞口との間であって前記流下案内位置よりも下方に位置し、該流下案内位置において前記案内回転体の誘導用球保持部から流下した遊技球を、前記特定入賞口へ誘導可能な第１状態と誘導不可能な第２状態とに繰り返し変換される変換誘導部材と、を設け、
前記複数の誘導用球保持部毎に当該誘導用球保持部の形状を異ならせることにより、前記案内回転体により流下案内された遊技球が、前記変換誘導部材に到達するタイミングを前記誘導用球保持部毎に異ならせたことを特徴とする。
なお、「一般入賞口」とは、特定入賞口でない入賞口を意味する。
また、「流下案内」とは、自重によって流下するように案内することを意味する。
ことを特徴とする。
また、「前記案内回転体により流下案内された遊技球が、前記変換誘導部材に到達するタイミング」とは、例えば、前記流下案内位置において案内回転体の誘導用球保持部から遊技球が流下し始めた時点を基準とし、その時点から当該遊技球が変換誘導部材に到達するまでの時間によって、定量的に把握できるタイミングを意味する。
【０００６】
なお、本発明の好ましい態様として、例えば請求項２に記載のように、前記誘導用球保持部は、前記流下案内位置で前記変換誘導部材に向けて下り傾斜状態になる傾斜部を有し、該傾斜部によって保持された遊技球を前記流下案内位置で流下案内する構成であり、
前記傾斜部の傾斜角度を前記誘導用球保持部毎に異ならせることにより、前記タイミングを異ならせた構成としてもよい。
また、例えば請求項３に記載のように、前記誘導用球保持部は、前記流下案内位置で前記変換誘導部材に向けて下り傾斜状態になる傾斜部を有し、該傾斜部によって保持された遊技球を前記流下案内位置で流下案内する構成であり、
前記流下案内位置における前記傾斜部の上下方向の位置を前記誘導用球保持部毎に異ならせることにより、前記タイミングを異ならせた構成としてもよい。
【０００７】
また、例えば請求項４に記載のように、前記変換誘導部材は、当該変換誘導部材が前記第１状態のときに前記案内回転体から流下案内された遊技球を保持可能な特定球保持部を備え、
前記特定球保持部に保持された遊技球は、当該変換誘導部材が前記第２状態に変換された場合に、前記特定入賞口へ遊技球を誘導する構成としてもよい。
【０００８】
また、例えば請求項５に記載のように、前記案内回転体には、前記誘導用球保持部に加えて、前記入賞部より前記遊技空間部に受入れられた遊技球を保持可能な一般球保持部が形成され、
前記案内回転体は、前記一般球保持部に保持された遊技球を前記一般入賞口へ向けて流下案内する構成としてもよい。
【発明の効果】
【０００９】
請求項１に記載の遊技機によれば、案内回転体に誘導用球保持部が複数あるため、変換誘導部材に誘導される遊技球が必然的に多くなり、特別遊技状態発生への期待感を十分に向上させることができる。また、複数の誘導用球保持部毎に形状を異ならせることにより、案内回転体により流下案内された遊技球が変換誘導部材に到達するタイミングを異ならせるようにしたので、変換誘導部材が遊技球を特定入賞口に誘導可能な状態(特別遊技状態を発生させるタイミング)を狙いづらくすることが可能となり、不正に単発打ちやタイミング打ち等の狙い打ちをされても、遊技店に不測の不利益を与えることなくどの遊技者にも公平な遊技を提供することができる。
【００１０】
また、請求項２に記載の遊技機によれば、傾斜部の角度が誘導用球保持部毎に異なるので、球保持部から変換誘導部材に向かって流下する遊技球の速度が誘導用球保持部毎に変化する（ばらつく）ことになり、変換誘導部材が遊技球を特定入賞口に誘導する状態(特別遊技状態を発生させるタイミング)を狙いづらくすることが可能となる。
また、請求項３に記載の遊技機によれば、流下案内位置における傾斜部の上下方向の位置を複数の誘導用球保持部毎に異ならせるようにしたから、当該誘導用球保持部から前記変換誘導部材への遊技球の流下距離が当該誘導用球保持部毎に異なることになる。このため、誘導用球保持部から流下した遊技球が変換誘導部材に到達するまでの時間が誘導用球保持部毎に変化する（ばらつく）ことになり、変換誘導部材が遊技球を特定入賞口に誘導する状態(特別遊技状態を発生させるタイミング)を狙いづらくすることが可能となる。
【００１１】
また、請求項４に記載の遊技機によれば、変換誘導部材が第１状態のときに案内回転体から流下案内された遊技球を保持可能な特定球保持部を当該変換誘導部材が備え、特定球保持部に保持された遊技球は、当該変換誘導部材が前記第２状態に変換された場合に、前記特定入賞口へ遊技球を誘導するので、第１状態と第２状態に変換される１サイクルで球を保持して特定入賞口へ誘導するという２つの機能を変換誘導部材に持たせることができ効率的であるとともに、遊技球が特定入賞口へ誘導される状態を遊技者に見せることができて遊技の興趣が増す。また、特定球保持部に遊技球が保持されれば確実に特定入賞口へ遊技球を誘導することができるので、遊技者は安心して遊技を楽しむことができる。
また、請求項５に記載の遊技機によれば、案内回転体に前記誘導用球保持部に加えて一般球保持部を設けることにより、一般球保持部の数や形状等を変更することで特別遊技状態の発生確率を調整することが可能となる。
【発明を実施するための最良の形態】
【００１２】
以下、本発明の実施の形態として、パチンコ機に適用した場合の形態例を、図面を参照して説明する。
（第１形態例）
まず、第１形態例を説明する。
Ａ．遊技盤の全体構成
図１は本形態例のパチンコ機の遊技盤の前面図である。
図１において、符号１は遊技盤であり、前面の略円形領域がガイドレール２で囲まれることにより遊技領域３が形成されている。
遊技盤１の前面には、図１に示すように、アウト球流入口４、センターケース１０、普通電動役物タイプの始動入賞口１１、変動入賞装置１２、一般入賞口１３〜１６、普図表示器１７、普図記憶表示器１８、普図始動ゲート１９、特図表示器２０、特図記憶表示器２１、多数の障害釘（図示省略）などが設けられている。また、センターケース１０の右側部には、装飾特図表示器２２とラウンド表示部２３が設けられている。
【００１３】
センターケース１０は、本発明の遊技装置に相当し、遊技盤１の略中央に設けられる。遊技盤１を構成する基板（いわゆるベニヤ）には、このセンターケース１０をはめ込むためのセンターケース用開口（図示省略）が形成されており、センターケース１０は、このセンターケース用開口にはめ込まれて取り付けられる。このセンターケース１０の詳細構成（装飾特図表示器２２やラウンド表示部２３等を除く）は、後述する。
【００１４】
また、始動入賞口１１は、後述するように特図の始動入賞口として機能する入賞口であり、入賞口としての開口部分の開度を変化させる開閉部材１１ａを有する。この始動入賞口１１は、センターケース１０の中央部下方に配置されている。
また、変動入賞装置１２は、後述する大当りになったことを条件として開放される大入賞口１２ａを有する装置である。
【００１５】
次に、普図表示器１７は、いわゆる普図の表示を行う表示器（例えば点滅する複数のランプよりなるもの）である。
また、普図記憶表示器１８は、普図表示器１７の周囲４箇所に設けられた小さなランプよりなり、そのランプの点灯数によって、普図始動ゲート１９を遊技球が通過することにより発生した普図の始動記憶の数（この場合、上限数が４個）を表示するものである。
【００１６】
次に、特図表示器２０は、特図としての数字等を表示可能な７セグメントの表示器であり、始動入賞口１１への入賞により発生した特図の始動記憶に基づいて特図の変動表示を実行するためのものである。
また、特図記憶表示器２１は、特図表示器２０の周囲４箇所に設けられた小さなランプよりなり、そのランプの点灯数によって、始動入賞口１１への入賞により発生した特図の始動記憶の数（この場合、上限数が４個）を表示するものである。
また、装飾特図表示器２２は、演出又は装飾としての特図（ダミーの特図）の変動表示を行う表示器である。なお、装飾特図表示器２２で表示される特図がダミーの特図であるのに対して、前記特図表示器２０で表示される特図は、いわゆる本特図である。
また、ラウンド表示部２３は、大当りのラウンド数を表示する表示部である。
【００１７】
Ｂ．センターケースの構成
次に、本例のセンターケース１０の構成について、図２〜図１０を参照して説明する。
なお図２は、センターケースの前面図である。図３は、センターケースの各回転体等を示す図であり、図３（ａ）は前面側斜視図、図３（ｂ）は裏面側斜視図である。図４は、センターケースの前面図（可動部材が開いた状態）であり、図４（ａ）は、後述する第２回転体（案内回転体）が遊技球を保持して回転移動させ流下案内するまでの状態を示し、図４（ｂ）は、入賞部より受入れられた遊技球が同第２回転体の球保持部に保持されるまでの状態を示す。図５は、第２回転体（案内回転体）の球保持部が形成された部分を示す図であり、図５（ａ）は前面側斜視図、図５（ｂ）は左側が縦断面図であり右側が前面図である。図６は、センターケースの前面図（可動部材が閉じた状態）であり、図６（ａ）は、第２回転体（案内回転体）から流下案内された遊技球が後述する第１回転体（変換誘導部材）によって特定入賞口に誘導されない状態等を示し、図６（ｂ）は、第２回転体（案内回転体）から流下案内された遊技球が第１回転体（変換誘導部材）の特定球保持部に流下する状態を示す。図７は、第１回転体（変換誘導部材）を示す図であり、図７（ａ）は分解斜視図、図７（ｂ）は裏面側斜視図、図７（ｃ）は裏面図である。図８は、図２におけるＡ−Ａ断面図である。図９は、センターケースの第２回転体の位置を遊技盤面に平行な面で破断して前面から見た断面図であり、図９（ａ）は特定入賞部を覆う壁が見える位置で破断した状態を示し、図９（ｂ）は特定入賞部内が見える位置で破断した状態（遊技球が１番目の特定入賞部３９ａに入賞する状態）を示す。図１０は、センターケースの第２回転体の位置を遊技盤面に平行な面で破断して前面から見た断面図であり、図１０（ａ）は遊技球が２番目の特定入賞部３９ｂに入賞する状態を示し、図１０（ｂ）は遊技球が３番目の特定入賞部３９ｃに入賞する状態を示す。
【００１８】
センターケース１０は、図８に示すように、前面側ケース３１と裏面側ケース３２とを有し、これらケースの内部に遊技空間部が形成されたものである。
なお、このセンターケース１０は、前後方向の一つの軸線を中心として主要部品が配置され組み立てられており、以下ではこの軸線をケース軸線という。
また本例の場合、遊技空間部とは、後述する鎧部３５の切欠き３５ａ，３５ｂから流入した遊技球が存在する可能性のあるセンターケース１０内の空間を意味する。
【００１９】
ここで、前面側ケース３１は、内側が前後に開口した枠状のものである。図２に示すように、この前面側ケース３１の内側の底部には、遊技球が転動可能ないわゆる球見せ用のステージ部３４が形成されている。
ステージ部３４は、ここに流入した遊技球をある程度の確率で始動入賞口１１へ誘導する。このステージ部３４へは、センターケース１０の左側部に形成されたワープ流路（図示省略）を通過した遊技球が流入する構成となっている。例えばセンターケース１０の上に流下して左に流れ落ちた遊技球が、図示しない障害釘に当って、上記ワープ流路に流入し、ステージ部３４上に流れる構成となっている。なお、ステージ部３４上には、このようにワープ流路を経由した遊技球に限られず、例えば障害釘に当って跳ねた遊技球が前面から直接入ってくる構成であってもよい。
【００２０】
また図２や図８に示すように、前面側ケース３１の上辺部には、遊技盤面よりも前方に突出する鎧部３５が設けられ、この鎧部３５を部分的に開閉する部材として、可動部材３６，３７（図２に示す）が設けられている。鎧部３５は、遊技球がセンターケース１０内に落下しないようにする部分であり、可動部材３６，３７が閉状態にある限り、打ち込まれた遊技球を必ずセンターケース１０の左側又は右側に誘導する。この鎧部３５の頂点の左右両側の位置には、ここに落下する遊技球が流入可能な切欠き３５ａ，３５ｂが形成されている。そして、可動部材３６，３７は、これら切欠き３５ａ，３５ｂに対応する位置にそれぞれ配置され、遊技盤面に沿って図２に矢印で示す方向にスライド可能に支持されて、図示省略された駆動機構によって、各切欠き３５ａ，３５ｂを開放する開状態（図４に示す）と、各切欠き３５ａ，３５ｂを閉鎖する閉状態（図２や図６に示す）とに動作可能となっている。即ち、可動部材３６，３７は、本発明の入賞部に相当する切欠き３５ａ，３５ｂより遊技球を受け入れ可能な開状態と受け入れ不能な閉状態とに変換可能である。
なお図２では、各可動部材３６，３７が閉状態にある様子を示しており、また図２の矢印は、各可動部材３６，３７が閉状態から開状態に向かう方向を示している。また図４（ｂ）では、各可動部材３６，３７が開状態となったときの遊技球Ｋの流入経路を矢印で例示している。各可動部材３６，３７が開状態になっていると、この図４（ｂ）の矢印に示すように、遊技球Ｋが上方からセンターケース１０内（即ち、遊技空間部内）に流入可能である。
【００２１】
次に、裏面側ケース３２は、前面側ケース３１の後面側に、前面側ケース３１の後面側を覆うように取り付けられる部材である。この裏面側ケース３２の奥壁中央（概略円形状の周壁の中心軸上の位置）には、図８に示すように、後述する奥側外れ球誘導部材４８等を配置するための円形状開口部３８が形成されている。この円形状開口部３８は、前記ケース軸線を中心として配置される。
なお、この裏面側ケース３２は、図８に示すように、正面から見て概略円形状の側壁を、円形状開口部３８を中心とする外周位置に有し、前面側が開口した箱型の部材である。なお取付状態において、この裏面側ケース３２の側壁は、前面側ケース３１の側壁を後方へ延長するような状態に概略配置される。こうして、前面側ケース３１と裏面側ケース３２は、全体として、内側に後方に窪んだ概略円形状の凹室を有したセンターケース１０の外形部分を構成している。
【００２２】
そして、図９に示すように、この裏面側ケース３２の右斜め下の側壁３２ａは、部分的に半径方向に張り出した形状となっていて、これによって、この右斜め下位置に比較的広い拡大空間部３２ｂ（後述する特定入賞部３９ｂ，３９ｃを設置できるスペース）が形成されている。
なお、裏面側ケース３２内は、前面側ケース３１内の開口を介して前面から視認可能である。
また、図９や図１０に示すように、裏面側ケース３２の奥壁の前面（円形状開口部３８よりも外周側の適宜位置）には、特定入賞部３９ａ，３９ｂ，３９ｃが形成されている。本例の場合、特定入賞部３９ａ（最も上流となる特定入賞部）は、正面から見て円形状開口部３８の左側位置に設けられ、その他の特定入賞部３９ｂ，３９ｃは、正面から見て円形状開口部３８の右斜め下位置（前述の拡大空間部３２ｂの位置）に設けられている。また、特定入賞部３９ｂ，３９ｃのうち、特定入賞部３９ｂは比較的上方に、最も下流となる特定入賞部３９ｃは、その下方に配置されている。
【００２３】
また、図９（ｂ）に示すように、これら特定入賞部３９ａ，３９ｂ，３９ｃには、それぞれ球検出器（特定入賞部３９ａについてのみ符号４０ａで示す）が設けられ、各特定入賞部３９ａ，３９ｂ，３９ｃに流入した遊技球がそれぞれ検出される構成となっている。なお、これら球検出器４０ａ等からの検出信号に基づいて発生する賞態様については後述する。
また図９（ａ）において符合３２ｅは、特定入賞部３９ａの前面を覆う壁を構成する部材を示す。また符合３２ｆは、特定入賞部３９ｂの前面を覆う壁を構成する部材を示す。また符合３２ｇは、特定入賞部３９ｃの前面を覆う壁を構成する部材を示す。
【００２４】
次に、センターケース１０内の遊技空間部に関連する構成について説明する。
センターケース１０の内部や裏面には、主に、次のような部材が設けられている。即ち、図１等に示す第１回転体４５（変換誘導部材）、図１に示すクリアユニット４６、図３や図８等に示す第２回転体４７（案内回転体）、図３や図８等に示す奥側外れ球誘導部材４８、図３や図８等に示す第３回転体４９、及び図８に示すモータベース５１が設けられている。
まず、第１回転体４５は、図７に示すように、第１回転体本体５２と、この第１回転体本体５２の中心軸線上に裏面側から挿入されて固定される第１回転体駆動軸５３（図８に示す）と、第１回転体本体５２の前面を覆うように第１回転体本体５２に固定される第１回転体化粧部材５４とを有し、図２や図３（ａ）に矢印で示すように、正面から見て反時計回りに回転駆動される回転体である。なお、この第１回転体４５（第１回転体本体５２、第１回転体駆動軸５３、及び第１回転体化粧部材５４）は、前記ケース軸線を中心として配置される。
【００２５】
ここで第１回転体本体５２は、図７（ａ）に示すように、裏面側の円板状部５２ａと前面側の円筒状部５２ｂとよりなる部材である。この第１回転体本体５２の円筒状部５２ｂの外周には、軸直角断面がＬ字型（靴下のような形）の溝であって円筒状部５２ｂの周面に開口する入賞球保留用凹部５２ｃが形成されている。この入賞球保留用凹部５２ｃの外周面側の開口部の側壁５２ｄ，５２ｅは、半径方向において、円板状部５２ａの周面位置近傍まで伸びている。またこの入賞球保留用凹部５２ｃは、図７（ａ）に示す如く前面側等において開口しているが、組立て状態においては、第１回転体化粧部材５４の対応する凹部５４ａで覆われることによって、周面側にのみ開口する。またこの入賞球保留用凹部５２ｃの内部寸法は、少なくとも遊技球１個が流入可能な寸法となっている。このような構成によって、入賞球保留用凹部５２ｃの周面側の開口が頂部位置にあるときに、この開口から入った１個の遊技球は、入賞球保留用凹部５２ｃのＬ字型に曲がった奥に落下し、第１回転体本体５２がその後に反時計回りに回転しても、前記開口が最下端位置近傍にくるまで、この入賞球保留用凹部５２ｃから流出しない構成となっている。
【００２６】
また第１回転体駆動軸５３は、一端側が第１回転体本体５２に回り止めされた状態で取り付けられる。そして、この第１回転体駆動軸５３の他端側は、図８に示すように後方に伸びており、クリアユニット４６や第２回転体４７や第３回転体４９の中心軸線上を貫通してモータベース５１内に達している。この第１回転体駆動軸５３の他端側は、図８に示す軸継ぎ手５５によって、後述する第１モータ９１の出力軸９１ａに連結されている。
なお、図８における符号５３ａ，５３ｂは、第１回転体駆動軸５３（ひいては、第１回転体４５の全体）を自転可能に支持する軸受け（ブッシュ）を示す。
また、第１回転体本体５２と第１回転体化粧部材５４は、透明又は半透明な材料によって構成され、透視可能（透光性有り）となっている。
【００２７】
なお、第１回転体４５は本発明の変換誘導部材を構成し、この第１回転体４５の入賞球保留用凹部５２ｃが本発明の特定球保持部に相当する。そして、この第１回転体４５の入賞球保留用凹部５２ｃが頂点位置（後述する前方誘導流路５７ｉの真下位置）にある状態が、本発明の第１状態（遊技球を後述する特定入賞口５７ｈへ誘導可能な状態）に相当し、それ以外の状態が本発明の第２状態（遊技球を後述する特定入賞口５７ｈへ誘導不可能な状態）に相当する。
【００２８】
次に、クリアユニット４６について説明する。
クリアユニット４６は、図８に示すように、第１入賞球誘導部材５６と、第２入賞球誘導部材５７と、隔壁部材５８と、囲繞部材５９とを備える。これら各部材５６〜５９は、全て透明又は半透明な材料によって構成され、透視可能となっている。
ここで、第１入賞球誘導部材５６は、前記ケース軸線を中心として第１回転体４５の周囲を取り囲むように配置される円筒状部５６ａを有する部材であり、隔壁部材５８の中央開口５８ｂに対して前面から取り付けられ、固定状態とされる部材である。この第１入賞球誘導部材５６の円筒状部５６ａの頂点位置には、入賞球誘導部５６ｂが形成されている。入賞球誘導部５６ｂは、可動部材３６，３７が開放状態にある時に、前記切欠き３５ａ，３５ｂ（入賞部）から流入した遊技球を受け入れる部分であり、受け入れられた遊技球は、この入賞球誘導部５６ｂの底部中央に左右に並んで形成された縦方向の誘導穴（図示省略）の何れかに落下する構成となっている。
【００２９】
そして、前記誘導穴には、ここを通過する遊技球を検出する球検出器（カウントセンサ）６０ａ，６０ｂ（図４（ｂ）に示す）が取り付けられる。また、前記誘導穴の下端側（球検出器の下流側）は、奥側に向かって曲がっており、後述する誘導流路５７ｄ（図８に示す）に連通している。このため、前記誘導穴に落下した遊技球は後述する誘導流路５７ｄに流入する。
また、円筒状部５６ａの底面には、ここに落下した遊技球を後方に流下させる傾斜面５６ｅ（図８に示す）が形成されている。
【００３０】
また、第２入賞球誘導部材５７は、全体として概略円盤状で中空の部材であり、第１入賞球誘導部材５６の裏面側に配置されて、隔壁部材５８の中央開口５８ｂに対して取り付けられ、固定状態とされる部材である。この第２入賞球誘導部材５７は、中心軸上に前述の第１回転体駆動軸５３が貫通するボス部５７ａ（図８に示す）が形成され、このボス部５７ａの周囲に内筒部５７ｂ（図４や図８に示す）が形成されている。なお図８に示すように、内筒部５７ｂ内には、前述の第１回転体本体５２の後部がはまり込んで摺動する。なおボス部５７ａは、前記ケース軸線を中心として配置される。
【００３１】
また、前記内筒部５７ｂの周囲には、正面から見て逆Ｕ字状の案内壁５７ｃ（図４や図８に示す）が形成され、この案内壁５７ｃの外周側の空間が、入賞球の誘導流路５７ｄとなっている。そして、この誘導流路５７ｄの頂部は、既述した如く前記誘導穴に連通している。また図４（ｂ）に示すように、この誘導流路５７ｄの頂部に流入した遊技球Ｋは、この誘導流路５７ｄ内の左側又は右側に流れ落ちて、最終的に第２入賞球誘導部材５７の底部中央に形成された誘導溝５７ｇ（図４や図８に示す）上に流れる構成となっている。なお、誘導溝５７ｇは底面が後方に向かって傾斜しており、またこの誘導溝５７ｇの後方には第２回転体４７の後述する小径円筒部４７ａの外周（球保持部６２ａ，６２ｂ）の最下端位置が位置する構成とされている。そのため、この誘導溝５７ｇに流れた遊技球Ｋは、後方に流れて、その時点で最下端位置にある小径円筒部４７ａの外周の球保持部６２ａ又は６２ｂ内に流入する（図４（ｂ）参照）。
また、前記内筒部５７ｂの頂部位置であって、前記内筒部５７ｂと案内壁５７ｃとの間の位置には、遊技球を後方から前方（第１回転体本体５２の頂部位置に向かう方向）に流下させる前方誘導流路５７ｉ（図４や図８に示す）が形成されている。
【００３２】
また、第２入賞球誘導部材５７の下端（誘導溝５７ｇが形成された部分の下方から前方）には、遊技球を後方に流す傾斜流路（符号省略）を内部に有する特定入賞口５７ｈ（図２や図８に示す）が形成されている。特定入賞口５７ｈは、第２入賞球誘導部材５７の下端から前方に伸びるように形成されて、その先端が第１回転体本体５２の最下端位置下方に位置して上面が開口している。このため、前述した第１回転体４５の入賞球保留用凹部５２ｃに入ったまま最下端位置に回転移動してきた遊技球は、図６（ａ）に示すように、ほぼ確実にこの特定入賞口５７ｈ内に落下する。
なお図８に示すように、特定入賞口５７ｈの下方には、特定入賞口５７ｈに流入した遊技球を検出する非通過型のフラット近接スイッチ５７ｊが配設されている。
【００３３】
次に隔壁部材５８は、センターケース１０内の前面側と後面側を区画する板状部５８ａ（図１や図８に示す）を有する部材であり、板状部５８ａの周縁部が前面側ケース３１と裏面側ケース３２の間に挟まれた状態で、前面側ケース３１と裏面側ケース３２に対して固定される部材である。なお、前記板状部５８ａは、第２回転体４７等が配置された領域と前記ステージ部３４とを区画し、ステージ部３４に流入した遊技球が前記領域に混入しないようにする隔壁として機能する。
また、板状部５８ａの中心には、中央開口５８ｂ（図８に示す）が形成されている。中央開口５８ｂは、第２入賞球誘導部材５７等の部材を位置決めする（取り付け時の案内となる）とともに、これら部材との干渉を避けるための開口であり、詳細構成については説明を省略する。なお中央開口５８ｂは、前記ケース軸線を中心として配置される。
【００３４】
次に囲繞部材５９は、図８に示すように、前面側の小径円筒状部５９ａと後面側の大径円筒状部５９ｂを有する部材であり、隔壁部材５８の中央開口５８ｂに対して裏側から取り付けられ、固定状態とされる部材である。ここで、小径円筒状部５９ａと、大径円筒状部５９ｂと、これらを連結する軸直角壁５９ｅとは、第２回転体４７の外周を取り囲む囲繞壁を構成している。また、この囲繞部材５９（小径円筒状部５９ａや大径円筒状部５９ｂ）は、前記ケース軸線を中心として配置される。
大径円筒状部５９ｂには、図９（ｂ）に示すように、複数（本例では二つ）の開口部５９ｃ，５９ｄが形成されている。ここで、開口部５９ｃ，５９ｄは、前述した特定入賞部３９ａ，３９ｂにそれぞれ連通する位置に形成され、開口部５９ｃから流出した遊技球は特定入賞部３９ａに、開口部５９ｄから流出した遊技球は特定入賞部３９ｂに、それぞれ流入する構成となっている。
【００３５】
また、囲繞部材５９の下端部には、前述の特定入賞口５７ｈの後端に連通する当り球導入部５９ｆ（図８に示す）が形成されている。この当り球導入部５９ｆは、特定入賞口５７ｈ内を後方に流れた遊技球を受け入れ、これを大径円筒状部５９ｂ内の最下端位置（即ち、第２回転体４７の後述する大径円筒部４７ｂの最下端位置の球保持部６３）に流す機能を持つ。
また図８に示すように、囲繞部材５９の下端部（当り球導入部５９ｆの両側及び下方）には、外れ球排出部５９ｇが形成されている。外れ球排出部５９ｇは、前述した隔壁部材５８の板状部５８ａの下端中央を覆うように配置されて、板状部５８ａの下端中央の裏面側に、前面側外れ球排出流路６１（図８に示す）を形成する部材である。この前面側外れ球排出流路６１は、前述した第１入賞球誘導部材５６の傾斜面５６ｅを流下した遊技球を受け入れ、これを外れ球（センターケース１０内には入賞したが、特定入賞口５７ｈ（特定入賞部３９ａ，３９ｂ，３９ｃ）に入賞しなかった一般入賞球）としてセンターケース１０の下方に排出するものである。なお、図８において符号６１ａは、前面側外れ球排出流路６１から排出される遊技球を検出する検出器を示す。
【００３６】
次に、第２回転体４７について説明する。
第２回転体４７は、図３（ａ）に示すように、前面側の小径円筒部４７ａと後面側の大径円筒部４７ｂとよりなる円盤状部を有する部材であり、前記ケース軸線を中心として配置されて、自転可能に支持された部材である。そして、図３（ａ）や図５に示すように、小径円筒部４７ａの外周には、周縁部を切り欠くことにより、前記入賞部（切欠き３５ａ，３５ｂ）より受け入れられた遊技球を保持可能な複数の球保持部６２ａ，６２ｂが一定ピッチで全周に渡って形成されている。また図３（ａ）に示すように、大径円筒部４７ｂの外周には、周縁部を切り欠くことにより、前記入賞部より受け入れられた遊技球を保持可能な複数の球保持部６３が一定ピッチで全周に渡って形成されている。
ここで、小径円筒部４７ａの外周の球保持部６２ａ，６２ｂのうち、一方の球保持部６２ａは、本発明の誘導用球保持部に相当し、後方に壁が有り、底面が前方に向かって遊技球を流すように傾斜している。これに対して、他方の球保持部６２ｂは、本発明の一般球保持部に相当し、後方に壁が無く、底面が後方に向かって遊技球を流すように傾斜している。また、球保持部６２ａ，６２ｂは周方向に例えば交互に形成されている。また、大径円筒部４７ｂの外周の球保持部６３は、内面が後方に向かって遊技球を流すように傾斜している。
【００３７】
そして本例では、上記球保持部６２ａ（誘導用球保持部）の底面（本発明の傾斜部に相当）の傾斜角度θは、図５（ｂ）に示すように、各球保持部６２ａ毎に異なっている。即ち、複数（この場合、６個）設けられた球保持部６２ａの底面の傾斜角度θは、それぞれ同一ではなく、各球保持部６２ａ毎に異なる値に設定されている。
【００３８】
また図８に示すように、第２回転体４７を構成する前記円盤状部の後面側には、後方に伸びる円筒軸６４が一体的に設けられ、さらにこの円筒軸６４の後端には第２回転体従動ギア６５が固定されている。なお、円筒軸６４と第２回転体従動ギア６５は、第２回転体４７の中心軸線（即ち前記ケース軸線）を中心として設けられていて、前記第１回転体駆動軸５３は、これら円筒軸６４と第２回転体従動ギア６５内を貫通している（図８参照）。なお、前述の軸受け５３ｂは、この第２回転体従動ギア６５の中心穴にはめ込まれている。
【００３９】
なお図８に示すように、円筒軸６４は図示省略した軸受部によって回転可能に支持されており、第２回転体４７全体が他の回転体とは別個に自転可能に支持されている。
また、第２回転体４７は、図２や図３（ａ）に矢印で示すように、正面から見て時計回りに回転駆動される。
【００４０】
次に、奥側外れ球誘導部材４８について説明する。
奥側外れ球誘導部材４８は、図８に示すように、前面側の小径円筒部４８ａと後面側の大径円筒部４８ｂとよりなる円盤状の部材であり、前記ケース軸線を中心として第２回転体４７の後面側（前述の裏面側ケース３２の円形状開口部３８の内側）に配置され、裏面側ケース３２に固定状態とされる部材である。ここで、小径円筒状部４８ａと、大径円筒状部４８ｂと、これらを連結する軸直角壁４８ｃとは、第２回転体４７の外周を取り囲む囲繞壁を構成している。
【００４１】
そして、前記小径円筒部４８ａの内周側には、第２回転体４７の球保持部６２ｂ内に保持された遊技球が、頂点位置に来るまでに、この遊技球を受け入れて前記外れ球（一般入賞球）として流下させる奥側外れ球誘導流路６９が形成されている。
また、前記奥側外れ球誘導流路６９の下端位置には、奥側外れ球誘導流路６９を流下した遊技球を受け入れて当該奥側外れ球誘導部材４８の下部後方に排出する奥側外れ球排出口（図示省略）が形成されている。
【００４２】
また、この奥側外れ球誘導部材４８の外周における前述の特定入賞部３９ｃに対応する位置には、前述の球保持部６３に保持された遊技球を特定入賞部３９ｃに向けて流出させる開口部としての切欠き７１（図９（ｂ）に示す）が形成されている。この切欠き７１は、大径円筒部４８ｂと軸直角壁４８ｃに形成されている。そして、球保持部６３に保持された遊技球が、この切欠き７１の位置にくると、後方に向けて流れてこの切欠き７１内に流入し、さらに後述する変換部材７３によってこの切欠き７１が開放状態になっていると、この切欠き７１から半径方向外側に遊技球が流れて、前述の特定入賞部３９ｃに流入して入賞する構成となっている。
なお、上記切欠き７１内の空間は、待機空間として機能する。即ち、上記切欠き７１の外周側が後述する変換部材７３によって閉鎖された閉鎖状態であったとしても、前記遊技球が前記球保持部６３から必ず流出して、開放状態となるまで一時的に前記遊技球が上記切欠き７１内に待機する。
また、奥側外れ球誘導部材４８は、透明又は半透明な材料によって構成され、透光性を有する。
【００４３】
次に、第３回転体４９について説明する。
第３回転体４９は、図３や図８に示すように、円盤状部４９ａからなる部材であり、前記ケース軸線を中心として奥側外れ球誘導部材４８の後面側に自転可能に配置される。この円盤状部４９ａの外周部には、後方に突出する円筒状部４９ｂが形成され、この円筒状部４９ｂの内周面には、後述する第３回転体駆動ギア８５が噛み合う内歯４９ｃ（図３（ｂ）に示す）が全周に渡って形成されている。また、円盤状部４９ａの中心には、前面側に突出する円筒状ボス４９ｄ（図８に示す）が形成されている。この円筒状ボス４９ｄは、図８に示すように、前述の奥側外れ球誘導部材４８の中心に形成された円筒状ボス６８の内周側に回転可能に取り付けられ、これによって第３回転体４９が前記ケース軸線を中心として他の回転体とは別個に自転可能となっている。
【００４４】
また図３に示すように、円盤状部４９ａの外周３箇所の位置には、変換部材７３が固定される。これら変換部材７３は、それぞれ、回転壁７４と、これら回転壁７４の外方に張り出した装飾部７５と、を有する。回転壁７４は、円盤状部４９ａの外周３箇所の位置から前方に伸びる断面円弧状の板状部分であり、前記大径円筒状部５９ｂと大径円筒部４８ｂ（囲繞壁）に沿って回転する。装飾部７５は、回転壁７４の先端から軸直角方向外側に張り出した板状部分であり、この前面には前面から視認可能な装飾を施すことができる。
【００４５】
なお図８に示すように、回転壁７４は、前述の裏面側ケース３２の円形状開口部３８の内側を貫通している。
また、回転壁７４は、前記大径円筒状部５９ｂと大径円筒部４８ｂ（囲繞壁）に沿って回転することによって、第２回転体４７の球保持部６３に保持された遊技球を流出させる開口部（開口部５９ｃ，５９ｄや切欠き７１）を閉鎖する閉鎖状態とこれら開口部を開放する開放状態とに変換する。
また、第３回転体４９（変換部材７３を除く）は、透明又は半透明な材料によって構成され、透光性を有する。
【００４６】
次に、モータベース５１について説明する。
モータベース５１は、図８に示すように、前面が開口した円筒状箱型のケース部（符号省略）を三つ有し、裏面側ケース３２に固定状態とされる部材である。このモータベース５１の各ケース部後面側には、第１モータ９１、第２モータ９２、第３モータ９３（図３（ｂ）に示す）がそれぞれ取り付けられる。
ここで、第１モータ９１の出力軸９１ａは、前記ケース軸線を中心として配置され、既述したように軸継ぎ手５５によって第１回転体駆動軸５３の後端に連結され、この第１モータ９１の作動によって、第１回転体駆動軸５３を含む第１回転体４５が回転する構成となっている。
【００４７】
また図８に示すように、第２モータ９２の出力軸９２ａには、前記第２回転体従動ギア６５と噛み合う第２回転体駆動ギア８４が固定され、この第２モータ９２の作動によって、第２回転体従動ギア６５を含む第２回転体４７が回転する構成となっている。
また図３（ｂ）に示すように、第３モータ９３の出力軸（図示省略）には、前述の内歯４９ｃと噛み合う第３回転体駆動ギア８５が固定され、この第３モータ９３の作動によって、第３回転体４９が回転する構成となっている。
【００４８】
また図示省略しているが、第１モータ９１の出力軸９１ａの側方には、光学式の位置検出センサが設けられている。この位置検出センサは、軸継ぎ手５５の後面に形成された突起９５（図８に示す）の通過を検出するもので、この突起９５が前記位置検出センサの検出部に進入すると前記位置検出センサの検出信号が立ち上がるか又は立ち下がる。そして、第１回転体４５の前記入賞球保留用凹部５２ｃが頂点位置にくると、突起９５が前記位置検出センサの検出部に進入する設定となっている。また、図示省略した本パチンコ機の制御装置は、この検出信号の立ち上がり又は立ち下りを読み取ると、第１モータ９１を所定時間停止して、第１回転体４５をこの位置（入賞球保留用凹部５２ｃが頂点にくる位置）に所定時間保持する構成となっている。
なお、モータベース５１は、透明又は半透明な材料によって構成され、透光性を有する。
【００４９】
Ｃ．センターケース内の遊技球の流れ
次に、本例のセンターケース１０内（ステージ部３４を除く）における遊技球の流れや、そのための制御や各部材の動作について説明する。
まず、図示省略した制御装置は、第１回転体４５については、正面から見て常に反時計回りに例えば約２秒／周の周期で回転させ、既述したように、前記入賞球保留用凹部５２ｃが頂点位置にきた時には、所定時間だけ第１回転体４５の回転を停止させ、所定時間が経過するとまた同方向に回転させる制御を継続する。なお、このように入賞球保留用凹部５２ｃを頂点位置で停止させる制御は、所定の条件（例えば、特定の遊技状態になったこと）が成立したときのみ実行する態様でもよい。
また、第２回転体４７（案内回転体）と第３回転体４９については、何れも同方向（この場合、正面から見て常に時計回り）に回転させる。但し、各回転体４７，４９の回転周期は同一ではなく、異なる回転周期で回転させる。例えば、第２回転体４７は約７秒／周の周期で回転させ、第３回転体４９は、約５秒／周の周期で回転させる。このように異なる回転周期で回転させることによって、相対位置が変化し、変換部材７３による開閉動作（前記閉鎖状態と開放状態の切換え）が実現される。
【００５０】
そして、開放された入賞部（可動部材３６，３７により開放された切欠き３５ａ，３５ｂ）から流入した遊技球は、図４（ｂ）に示すように、第１入賞球誘導部材５６の入賞球誘導部５６ｂに受け入れられ、前述の誘導穴の何れかに落下する。次いで、第２入賞球誘導部材５７の誘導流路５７ｄの頂部に流入する。そして、誘導流路５７ｄの頂部に流入した遊技球は、この誘導流路５７ｄ内の左側又は右側に流れ落ちて、最終的に第２入賞球誘導部材５７の底部中央に形成された誘導溝５７ｇ上に流れる。この誘導溝５７ｇに流れた遊技球は、後方に流れて、その時点で最下端位置にある第２回転体４７の小径円筒部４７ａの球保持部６２ａ又は６２ｂ内に流入する。
【００５１】
次に、球保持部６２ａ又は６２ｂ内に流入した遊技球Ｋは、図４（ａ）に示すように、この球保持部６２ａ又は６２ｂ内に保持されて第２回転体４７の回転に伴って頂部に向かって移送され、頂部を通過する前に前方又は後方に流れ落ちる。即ち、球保持部６２ａに保持された遊技球Ｋの場合には、頂部に到達した時に、前方に向かって流下する。一方、球保持部６２ｂに保持された遊技球Ｋの場合には、頂部に到達するまでに後方に流下する。
そして、球保持部６２ｂから後方に流下した遊技球は、奥側外れ球誘導部材４８の奥側外れ球誘導流路６９を流下して奥側外れ球排出口（図示省略）に到達し、ここを経由してセンターケース１０の下方に排出される。
【００５２】
一方、球保持部６２ａから前方に流下した遊技球は、第２入賞球誘導部材５７の前方誘導流路５７ｉを経由して図６に示すように第１回転体本体５２の頂部位置に落下し、この時点で入賞球保留用凹部５２ｃの開口が図６（ｂ）のように頂部位置にあれば、入賞球保留用凹部５２ｃ内に入り、そうでなければ、図６（ａ）のように第１回転体本体５２の周囲を落下する。
なお、こうして第１回転体本体５２の周囲を落下した遊技球は、第１入賞球誘導部材５６の底面に形成された傾斜面５６ｅ上を後方に流れ、前面側外れ球排出流路６１を経由してセンターケース１０の下方に排出される。
【００５３】
そして、入賞球保留用凹部５２ｃ内に入った遊技球は、第１回転体４５の回転に伴って下方に移送され、最下端位置にきた時に入賞球保留用凹部５２ｃから排出されて、図６（ａ）に示すように、第２入賞球誘導部材５７の特定入賞口５７ｈ内にほぼ確実に落下する。なお、特定入賞口５７ｈ内に落下しなかった遊技球は、前述の傾斜面５６ｅや前面側外れ球排出流路６１を経由してセンターケース１０の下方に排出される。
次に、特定入賞口５７ｈ内に落下した遊技球Ｋは、図８に矢印で示すように、囲繞部材５９の当り球導入部５９ｆを経由して、第２回転体４７の大径円筒部４７ｂの最下端位置に流れ、球保持部６３内に入る。
次いで、球保持部６３内に流入した遊技球は、この球保持部６３内に保持されて第２回転体４７の回転に伴って移送される。
【００５４】
そして、球保持部６３内に保持されて移送される遊技球Ｋは、まず囲繞部材５９の１番目の開口部５９ｃの位置にきた時に、この開口部５９ｃが開放状態にあれば、図９（ｂ）に示すように、この開口部５９ｃから流出して１番目の特定入賞部３９ａに流入する。なお、こうして特定入賞部３９ａに入賞した遊技球は、図示省略した排出流路を経由してセンターケース外に排出される。
また、１番目の開口部５９ｃから流出せずに、さらに球保持部６３内に保持されて移送された遊技球Ｋは、次に２番目の開口部５９ｄの位置にきた時に、この開口部５９ｄが開放状態にあれば、図１０（ａ）に示すように、この開口部５９ｄから流出して２番目の特定入賞部３９ｂに流入する。
また、２番目の開口部５９ｄから流出せずに、さらに球保持部６３内に保持されて移送された遊技球Ｋは、次に３番目の開口部（奥側外れ球誘導部材４８の切欠き７１）の位置にきた時に、図１０（ｂ）に示すように、この開口部内（切欠き７１内）に流入し、この開口部が開放状態にあれば、この開口部から流出して３番目の特定入賞部３９ｃに流入する。
【００５５】
ここで、上記遊技球が３番目の開口部（切欠き７１）の位置にきた時には、この開口部が閉鎖状態にあった場合でも、当該遊技球を保持する球保持部６３の球載置面が後方に下り傾斜しているため、当該遊技球は球保持部６３から上記切欠き７１内（待機空間内）に流出し、その後にこの切欠き７１が開放状態になった時に、特定入賞部３９ｃに流入する。このため、球保持部６３に保持されて移送される遊技球は、第２回転体４７が１回転するうちに、必ず何れかの特定入賞部への入賞を確定させる。
また、特定入賞部３９ｂや３９ｃに入賞した遊技球は、図示省略した排出流路を経由してセンターケース外に排出される。
【００５６】
Ｄ．遊技の概要
次に、本形態例のパチンコ機で行われる遊技の概要や遊技の流れについて説明する。
まず、遊技開始当初の時点（或は遊技開始前の時点）では、特図表示器２０には所要の停止図柄が表示され、装飾特図表示器２２は所要の客待ち画面が表示される。
ガイドレール２を介して遊技領域３に打込まれた遊技球が、始動入賞口１１に入賞すると（即ち、特図の始動入賞があると）、特図表示器２０や装飾特図表示器２２において特図の変動表示が行われて、変動表示ゲームが行われる。
【００５７】
そして、この変動表示ゲームの停止表示態様（変動表示により導出された特図表示器２０の本特図）が特別表示態様（例えば、「７」）であれば、大当りと呼ばれる特典が遊技者に付与される。また、前記停止表示態様が他の特別表示態様（例えば、「３」）であれば、小当たりと呼ばれる特典が付与される。なお制御上は、例えば始動入賞があったことを条件として、当り乱数の値が抽出記憶されて、この抽出記憶された乱数値と予め設定された判定値とが判定時に比較判定され、この比較判定結果に基づいて、予め大当りとするか否か、或いは小当たりとするか否かが決定され、この決定に応じて前記変動表示ゲームが開始される。
なお、上記変動表示ゲームによって大当りとなる確率は低く、これに対して小当たりとなる確率は高く設定されている。
【００５８】
上記小当たりになると、可動部材３６，３７を所定時間だけ開状態として切欠き３５ａ，３５ｂを開放する動作が所定回数実行される小当たり遊技状態（補助遊技状態）に移行する。そして、この小当たり遊技状態中にセンターケース１０内に前述した如く入賞した遊技球が、前述したような経路を経て、特定入賞口５７ｈ（特定入賞部３９ａ，３９ｂ，３９ｃの何れか）に入賞すると、大当りとなる。
なお、この大当りになった状態（大当り状態）が本発明の特別遊技状態に相当する。
【００５９】
前記大当り状態（特図の変動表示ゲームの結果として大当りになる場合含む）になると、変動入賞装置１２の大入賞口１２ａが、規定時間（例えば、３０秒）を越えない範囲内において、例えば１０個入賞までの期間だけ一時的に開放される開放動作が行われる。そしてこの開放動作は、例えば入賞の種類に応じて設定されたラウンド数まで行われる。例えば、１番目の特定入賞部３９ａに入賞して大当りとなった場合には１ラウンドまで、２番目の特定入賞部３９ｂに入賞して大当りとなった場合には７ラウンドまで、３番目の特定入賞部３９ｃに入賞して大当りとなった場合には１５ラウンドまで実行される。また、前記変動表示ゲームの結果として大当りとなった場合には、例えば１５ラウンドまで上記開放動作が実行される。
【００６０】
また、前記特図の変動表示ゲーム中又は大当り中或いは小当たり中に、始動入賞口１１にさらに遊技球が入賞したときには、この場合特図記憶表示器２１で特図始動記憶表示が行われて例えば４個まで記憶され、変動表示ゲーム又は大当り或いは小当たりが終了した後に、その記憶（即ち、始動記憶）に基づいて前記特図の変動表示ゲームが繰り返される。
例えば、変動表示ゲームが大当たり又は小当たりで終了すれば大当たり又は小当たり状態に移行し、小当たり遊技で大当りになれば大当り状態に移行し、小当たり遊技や変動表示ゲームがはずれで終了し始動記憶があれば再度変動表示ゲームが実行され、大当たりが終了して始動記憶があれば再度変動表示ゲームが実行される。
【００６１】
一方、遊技中に、遊技球が普図始動ゲート１９を通過したときは、普図表示器１７での普図の変動表示による普図の変動表示ゲームが行われる。そして、この変動表示ゲーム結果（停止した普図）が所定の態様であれば、普図当りと呼ばれる特典が付与される。
この普図当りになると、始動入賞口１１の一対の開閉部材１１ａが逆ハの字に開いた開放状態に、例えば０．５秒程度保持される遊技が行われる。これにより、始動入賞口１１に遊技球が入賞し易くなり、その分、特図の変動表示ゲームの実施回数が増えて大当り又は小当たりになる可能性が増す。
また、前記普図の変動表示ゲーム中に、普図始動ゲート１９にさらに遊技球が入賞したときには、普図記憶表示器１８で普図始動記憶表示が実行されてこの場合４個まで記憶され、普図の変動表示ゲームの終了後に、その記憶に基づいて前記普図の変動表示ゲームが繰り返される。
【００６２】
以上説明した本例の遊技機によれば、既述したように、センターケース１０内に流入（入賞）した遊技球が、運が良ければ第２回転体４７の小径円筒部４７ａ（案内回転体）の球保持部６２ａ（誘導用球保持部）を経て、第１回転体本体５２（変換誘導部材）の入賞球保留用凹部５２ｃ（特定球保持部）に流入し、次いで特定入賞口５７ｈに流入して、第２回転体４７の大径円筒部４７ｂの球保持部６３にたどり着き、この第２回転体４７の移送によって、特賞態様（大当り）の内容（この場合、大当りラウンド数）が異なる複数の特定入賞部の何れかに入賞するという、興趣の高い小当たり遊技（補助遊技）が実行される。
しかも本例の遊技機によれば、案内回転体（第２回転体４７の小径円筒部４７ａ）に誘導用球保持部（球保持部６２ａ）が複数あるため、変換誘導部材（第１回転体本体５２）に誘導される遊技球が必然的に多くなり、特別遊技状態発生への期待感を十分に向上させることができる。
【００６３】
また、複数の誘導用球保持部（球保持部６２ａ）毎に形状を異ならせることにより（この場合、傾斜部である球保持部６２ａの底面の角度θをそれぞれ異ならせることにより）、案内回転体により流下案内された遊技球が変換誘導部材に到達するタイミングを異ならせるようにしたので、変換誘導部材が遊技球を特定入賞口５７ｈに誘導可能な状態(特別遊技状態を発生させるタイミング)を狙いづらくすることが可能となり、不正に単発打ちやタイミング打ち等の狙い打ちをされても、遊技店に不測の不利益を与えることなくどの遊技者にも公平な遊技を提供することができる。
【００６４】
また、本例の遊技機によれば、変換誘導部材（第１回転体本体５２）が第１状態（入賞球保留用凹部５２ｃが頂点位置にある状態）のときに案内回転体（第２回転体４７の小径円筒部４７ａ）から流下案内された遊技球を保持可能な特定球保持部（入賞球保留用凹部５２ｃ）を当該変換誘導部材が備え、この特定球保持部に保持された遊技球は、当該変換誘導部材が第２状態（入賞球保留用凹部５２ｃが頂点位置にない状態、本例の場合詳細には、入賞球保留用凹部５２ｃが最下端位置にある状態）に変換された場合に、前記特定入賞口５７ｈへ遊技球を誘導するので、第１状態と第２状態に変換される１サイクルで球を保持して特定入賞口５７ｈへ誘導するという２つの機能を変換誘導部材に持たせることができ効率的であるとともに、遊技球が特定入賞口５７ｈへ誘導される状態を遊技者に見せることができて遊技の興趣が増す。また、特定球保持部に遊技球が保持されれば確実に特定入賞口５７ｈへ遊技球を誘導することができるので、遊技者は安心して遊技を楽しむことができる。
また、本例の遊技機によれば、案内回転体（第２回転体４７の小径円筒部４７ａ）に一般球保持部（球保持部６２ｂ）を設けているため、この一般球保持部の数や形状等を変更することで特別遊技状態の発生確率を調整することが可能となるという利点がある。
【００６５】
（第２形態例）
次に、第２形態例を図１１によって説明する。図１１は、案内回転体（第２回転体４７の小径円筒部４７ａ）の球保持部が形成された部分を示す図であり、（ａ）は前面側斜視図、（ｂ）は左側が縦断面図であり右側が前面図である。
本形態例は、前記第１形態例の一部構成を変更したものであり、以下その変更部分を説明する。
まず、案内回転体である第２回転体４７の小径円筒部４７ａの球保持部６２ａ（誘導用球保持部）は、遊技球を保持する位置が、全て異なる。具体的には、図１１（ｂ）に示すように、各球保持部６２ａの深さＬが同一ではなく、全て異なる値に設定されている。
【００６６】
前記第１形態例の場合、既述したように、球保持部６２ａから前方に流下した遊技球は、第２入賞球誘導部材５７の前方誘導流路５７ｉを経由して第１回転体本体５２の頂部位置に落下するが、各球保持部６２ａの深さＬが異なると、各球保持部６２ａから前方誘導流路５７ｉに落下する際の落下距離が、球保持部６２ａ毎に異なってくる。このため、球保持部６２ａから流下した遊技球が変換誘導部材（第１回転体本体５２）に到達するまでの時間が球保持部６２ａ毎により変化する（ばらつく）ことになり、変換誘導部材が遊技球を特定入賞口５７ｈに誘導する状態(特別遊技状態を発生させるタイミング)をさらに狙いづらくすることが可能となる。
【００６７】
（第３形態例）
次に、第３形態例を図１２〜図１３によって説明する。図１２は、第３形態例の遊技装置１００を示す図であり、（ａ）は前面側斜視図、（ｂ）上面図である。図１３は、第３形態例の遊技装置１００の案内回転体を示す図であり、（ａ）は前面図、（ｂ）は（ａ）におけるＸ−Ｘ断面図である。なお、遊技装置１００（第１形態例におけるセンターケース１０に相当）以外の構成は、第１形態例と同じでよいので、以下では遊技装置１００の構成を説明する。
本例の遊技装置１００は、図示省略した可動部材によって開閉される入賞部から受け入れられた遊技球が上方から流入する凹室１０１（遊技空間部）を内部に有するケース１０２と、この凹室１０１内の中段位置に配置されて水平回転する案内回転体１０３と、凹室１０１内の下部前面側（案内回転体１０３の下方前面側）に配置された変換誘導部材１０４とを有する。
【００６８】
ケース１０２内（凹室１０１内）の中段位置には、水平な上面を有する棚状部１０５が形成され、この棚状部１０５の上面に沿って案内回転体１０３が配置されている。また、この棚状部１０５の前端縁下方には、凹室１０１内（棚状部１０５のよりも下方の空間）を前後に仕切る隔壁１０６が形成されている。この隔壁１０６は、棚状部１０５の前端縁から下方に伸びて、凹室１０１内の底面まで到達している。
また、棚状部１０５の上面には、案内回転体１０３の外周前面側（凹室１０１の奥壁面によって覆われない前面側）を囲むように覆う流下防止壁１０７が立設されている。この流下防止壁１０７の正面中央位置には、遊技球を流下させるための開口１０８が形成されている。
【００６９】
また、棚状部１０５における案内回転体１０３の外周部下方には、図１２（ｂ）に示すように、上面から見て馬蹄形（逆Ｕ字形）の外れ球回収口１０９（一般入賞口）が形成されている。
また図１２（ａ）に示すように、隔壁１０６には、その上部に略円形の特定入賞口１１０が形成され、その下部（凹室１０１内の底面に接する位置）には、外れ球回収口１１１（一般入賞口）が形成されている。
【００７０】
案内回転体１０３は、図示省略したモータによって例えば一方向に回転駆動される円板状の部材であり、その外周部には、周縁部を切り欠くことにより、前記入賞部より受け入れられた遊技球を保持可能な複数の球保持部１１２，１１３が一定ピッチで全周に渡って形成されている。
ここで、球保持部１１２，１１３のうち、一方の球保持部１１２は、本発明の誘導用球保持部に相当し、底部に壁１１２ａ（図１３に示す）が有り、底面（壁１１２ａの上面）が前方（径方向外方）に向かって遊技球を流すように傾斜している。これに対して、他方の球保持部１１３は、本発明の一般球保持部に相当し、底部に壁が無い。また、球保持部１１２，１１３は周方向に例えば交互に形成されている。
【００７１】
なお、前記入賞部から図１２（ａ）に示すように流下した遊技球Ｋは、これら球保持部１１２，１１３のうちの何れかに流入して保持される。そして、球保持部１１３に保持された遊技球は、案内回転体１０３の回転に伴って外れ球回収口１０９の位置に回転移動した時に、この外れ球回収口１０９から落下して外れ球（一般入賞球）として回収される。一方、球保持部１１２に保持された遊技球Ｋは、壁１１２ａによって外れ球回収口１０９への落下を阻止されるため、図１２（ｂ）に示すように案内回転体１０３の回転に伴って必ず開口１０８の位置（流下案内位置）まで回転移動し、開口１０８の位置にくると、開口１０８から変換誘導部材１０４の頂点位置に流下する。
【００７２】
変換誘導部材１０４は、図示省略したモータによって前後方向の軸線を中心に回転駆動される円板状の回転体であり、外周部の１箇所に遊技球を特定入賞口１１０に案内するための案内溝１１４が形成されている。なお、この案内溝１１４が図１２（ａ）に示すように頂点位置にあると、前記開口１０８から流下した遊技球Ｋは、この案内溝１１４に案内されて特定入賞口１１０に流入する（特定入賞する）。しかし、この案内溝１１４が頂点位置にないと、前記開口１０８から流下した遊技球Ｋは、変換誘導部材１０４の両側に流れ落ちて、外れ球回収口１１１から外れ球として回収される。
即ち、この変換誘導部材１０４は、案内回転体１０３の誘導用球保持部１１２によって流下案内されて前記流下案内位置において流下した遊技球Ｋを、前記特定入賞口１１０へ誘導可能な第１状態と誘導不可能な第２状態とに繰り返し変換される変換誘導部材に相当する。
【００７３】
そして、案内回転体１０３の球保持部１１２（誘導用球保持部）は、当該球保持部１１２毎に形状が異なっており、これにより、案内回転体１０３により流下案内されて前記流下案内位置（開口１０８の位置）において流下し始めた遊技球が、変換誘導部材１１０に到達するまでのタイミングが異なる構成となっている。
具体的には、図１３（ａ）に示すように、球保持部１１２の底の壁１１２ａの厚さＬが、球保持部１１２毎に全て異なる値に設定されている。
或いは、図１３（ｂ）に示すように、球保持部１１２の底面の傾斜角度θが、球保持部１１２毎に全て異なる値に設定されている。
なお、壁１１２ａの厚さＬと傾斜角度θの両方を、球保持部１１２毎に全て異なる値に設定してもよい。
【００７４】
以上説明した第３形態例の遊技機でも、第１形態例と同様の効果が得られる。
即ち、案内回転体１０３に誘導用球保持部（球保持部１１２）が複数あるため、変換誘導部材１０４に誘導される遊技球が必然的に多くなり、特別遊技状態発生への期待感を十分に向上させることができる。
また、複数の誘導用球保持部（球保持部１１２）毎に形状を異ならせることにより、案内回転体１０３により流下案内された遊技球が変換誘導部材１１０に到達するタイミングを異ならせるようにしたので、変換誘導部材１１０が遊技球を特定入賞口１１０に誘導可能な状態(特別遊技状態を発生させるタイミング)を狙いづらくすることが可能となり、不正に単発打ちやタイミング打ち等の狙い打ちをされても、遊技店に不測の不利益を与えることなくどの遊技者にも公平な遊技を提供することができる。
【００７５】
なお、本発明は上述した形態例に限られず、各種の変形や応用があり得る。
例えば、第２形態例の図１１に示す構成では、球保持部６２ａの底面（傾斜部）の傾斜角度も、球保持部６２ａ毎に異ならせて、前述のタイミングをより狙いづらくしているが、前記深さＬのみを異ならせて、前記傾斜角度は同一としてもよい。
また、前記第１形態例や第２形態例において、第２入賞球誘導部材５７の前方誘導流路５７ｉを削除して、球保持部６２ａから前方に流下した遊技球が、第１回転体本体５２の頂部位置に直接落下するようにしてもよい。
また、センターケース１０内において流れたり保持されたり移送される遊技球を、遊技者がより見易くなるように、またこの遊技球の状態を演出するために、例えばセンターケース１０の裏面から光を照射し、この光の点灯状態や色を各種制御するようにしてもよい。
【００７６】
また、今回開示された実施の形態はすべての点で例示であって制限的なものではないと考えられるべきである。本発明の範囲は前記した説明ではなくて特許請求の範囲によって示され、特許請求の範囲と均等の意味及び範囲内でのすべての変更が含まれることが意図される。
【図面の簡単な説明】
【００７７】
【図１】パチンコ機の遊技盤の前面図である。
【図２】センターケースの前面図である。
【図３】センターケースの各回転体等を示す図であり、（ａ）は前面側斜視図、（ｂ）は裏面側斜視図である。
【図４】センターケースの前面図であり、（ａ）は案内回転体が遊技球を流下案内するまでの状態を示し、（ｂ）は入賞部より受入れられた遊技球が案内回転体の球保持部に保持されるまでの状態を示す。
【図５】案内回転体の球保持部が形成された部分を示す図であり、（ａ）は前面側斜視図、（ｂ）は左側が縦断面図であり右側が前面図である。
【図６】センターケースの前面図であり、（ａ）は案内回転体から流下案内された遊技球が変換誘導部材によって特定入賞口に誘導されない状態等を示し、（ｂ）は案内回転体から流下案内された遊技球が変換誘導部材の特定球保持部に流下する状態を示す。
【図７】変換誘導部材を示す図であり、（ａ）は分解斜視図、（ｂ）は裏面側斜視図、（ｃ）は裏面図である。
【図８】図２におけるＡ−Ａ断面図である。
【図９】センターケースの案内回転体の位置を遊技盤面に平行な面で破断した断面図であり、（ａ）は特定入賞部を覆う壁が見える位置で破断した状態を示し、（ｂ）は特定入賞部内が見える位置で破断した状態を示す。
【図１０】センターケースの案内回転体の位置を遊技盤面に平行な面で破断した断面図であり、（ａ）は遊技球が２番目の特定入賞部に入賞する状態を示し、（ｂ）は遊技球が３番目の特定入賞部に入賞する状態を示す。
【図１１】案内回転体（第２形態例）の球保持部が形成された部分を示す図であり、（ａ）は前面側斜視図、（ｂ）は左側が縦断面図であり右側が前面図である。
【図１２】第３形態例の遊技装置を示す図であり、（ａ）は前面側斜視図、（ｂ）上面図である。
【図１３】第３形態例の遊技装置の案内回転体を示す図であり、（ａ）は前面図、（ｂ）は（ａ）におけるＸ−Ｘ断面図である。
【符号の説明】
【００７８】
１  遊技盤
３  遊技領域
１０  センターケース（遊技装置）
３１  前面側ケース
３２  裏面側ケース
３５ａ，３５ｂ  切欠き（入賞部）
４５  第１回転体（変換誘導部材）
４７  第２回転体（案内回転体）
５２ｃ  入賞球保留用凹部（特定球保持部）
５７ｈ  特定入賞口
６２ａ  球保持部（誘導用球保持部）
６２ｂ  球保持部（一般球保持部）
１００  遊技装置
１０１  凹室（遊技空間部）
１０３  案内回転体
１０４  変換誘導部材
１０９  外れ球回収口（一般入賞口）
１１０  特定入賞口
１１１  外れ球回収口（一般入賞口）
１１２  誘導用球保持部
１１３  一般球保持部
【図１】
0004408281.tif 000002
【図２】
0004408281.tif 000003
【図３】
0004408281.tif 000004
【図４】
0004408281.tif 000005
【図５】
0004408281.tif 000006
【図６】
0004408281.tif 000007
【図７】
0004408281.tif 000008
【図８】
0004408281.tif 000009
【図９】
0004408281.tif 000010
【図１０】
0004408281.tif 000011
【図１１】
0004408281.tif 000012
【図１２】
0004408281.tif 000013
【図１３】
0004408281.tif 000014